(57)【特許請求の範囲】
【請求項１】
上桟、下桟及び左右の竪框から成る障子枠とその枠内一杯に形成された格子即ち組子と組子域の片面一杯を覆い張られた障子紙から成り、組子が見える側を表、組子が見えない側を裏とするところの引き戸開閉式に設置される通常の障子を想定し、障子の一つを一張として数えることにするが、この様な通常の障子の組子と障子枠の間に、つまり障子枠の内側を周回し組子の上下左右を囲う組子枠が設けられ、組子枠も含む組子域全面に、裏側だけでなく表側も障子紙を覆い張る形で枠付組子が設けられており、このように形成された枠付組子の二張を相互に少しの間隔をおいて並列した状態で、この二張の枠付組子を一緒に、組子枠の上下左右を連続して周回する障子枠で囲ってあり、ここにおける二張の枠付組子のうち、一方は障子枠の外（裏）側を閉じる形で、組子枠を障子枠にしっかり固定的に設置されており、他方は障子枠の内（表）側において、下桟から連続的に竪框を左右対向的に立ち昇る形で形設された凹溝に嵌合させて付け外し式に設置されているのであるが、以上により、二張の枠付組子において、それぞれが表裏両面を障子紙に挟まれて閉じられた空間を有して計２つの空間が形成され、同時にこの二張の枠付組子相互間に閉じ込められた１つの空間と合わせ、合計３つの閉じられた空間が、障子紙に仕切られた３層構造の空気層を成して形成され、斯くして一つの全体として構成されることを特徴とする空気３層断熱式障子。
【発明の詳細な説明】
【技術分野】
【０００１】  本発明は、空気３層断熱式障子に関するものである。
【背景技術】
【０００２】  従来においては、断熱障子は知られている。
【先行技術文献】
【特許文献】
【０００３】
【特許文献１】  特開２０１２−６７４８２号公報
【特許文献２】  特開２０１１−１５３４１５号公報
【発明の概要】
【発明が解決しようとする課題】
【０００４】  文献１・２において、断熱性向上はみられるが、各障子戸の中間の部分を必要以上に重くしており、障子戸全体の重量がかかり開閉しやすさが欠ける点がある。
また、近年の気候変化も含め、障子自体の断熱性をさらに考慮したものが必要と考える。
本発明は、以上の問題点を解決するものである。
【課題を解決するための手段】
【０００５】  上桟、下桟及び左右の竪框から成る障子枠とその枠内一杯に形成された格子即ち組子と組子域の片面一杯を覆い張られた障子紙から成り、組子が見える側を表、組子が見えない側を裏とするところの引き戸開閉式に設置される通常の障子を想定し、障子の一つを一張として数えることにする。
この様な通常の障子の組子と障子枠の間に、つまり障子枠の内側を周回し組子の上下左右を囲う組子枠が設けられ、組子枠も含む組子域全面に、裏側だけでなく表側も障子紙を覆い張る形で枠付組子が設けられており、このように形成された枠付組子の二張を相互に少しの間隔をおいて並列した状態で、この二張の枠付組子を一緒に、組子枠の上下左右を連続して周回する障子枠で囲ってある。
ここにおける二張の枠付組子のうち、一方は障子枠の外（裏）側を閉じる形で、組子枠を障子枠にしっかり固定的に設置されており、他方は障子枠の内（表）側において、下桟から連続的に竪框を左右対向的に立ち昇る形で形設された凹溝に嵌合させて付け外し式に設置されている。
以上により、二張の枠付組子において、それぞれが表裏両面を障子紙に挟まれて閉じられた空間を有して計２つの空間が形成され、同時にこの二張の枠付組子相互間に閉じ込められた１つの空間と合わせ、合計３つの閉じられた空間が、障子紙に仕切られた３層構造の空気層を成して形成され、斯くして一つの全体として構成される。
以上を特徴とする空気３層断熱式障子である。
【発明の効果】
【０００６】  本発明により、従来の各断熱障子の中間部分に設けてある素材よりも、さらに断熱性能が高くて且つ軽い空気層を中間層部分に設け、加えて、空気層の各両側の組子枠と障子枠の気密性を高める構造としたことにより、近年の異常な気候変化にも対応でき、障子においてもさらに断熱性向上が可能になる。さらに、中間層部分にも空気層を設けたことにより、障子戸全体の重量もおさえることが可能となり、特に高齢者にとっても、断熱障子なのに障子戸の開閉のしやすさも妨げない空気３層断熱式障子である。
【図面の簡単な説明】
【０００７】
【図１】  本発明の外観斜視図
【図２】  本発明の一部である障子枠の斜視図
【図３】  本発明を側面から見た縦断面図
【図４】  本発明を正面側に回り込んで真上から見た横断面図
【図５】  本発明の一部である付け外し式枠付組子の斜視図
【発明を実施するための形態】
【０００８】  以下、本発明の実施の形態を説明する。
上桟（１）、下桟（２）及び左右の竪框（３）から成る障子枠（４）とその枠内一杯に形成された格子即ち組子（５）と組子域の片面一杯を覆い張られた障子紙（６）から成り、組子（５）が見える側を表、組子（５）が見えない側を裏とするところの引き戸開閉式に設置される通常の障子を想定し、障子の一つを一張として数えることにする。
この様な通常の障子の組子（５）と障子枠（４）の間に、つまり障子枠（４）の内側を周回し組子（５）の上下左右を囲う組子枠（７）が設けられ、組子枠（７）も含む組子（５）域全面に、裏側だけでなく表側も障子紙（６）を覆い張る形で枠付組子（１０）が設けられており、このように形成された枠付組子（１０）の二張を相互に少しの間隔をおいて並列した状態で、この二張の枠付組子（１０）を一緒に、組子枠（７）の上下左右を連続して周回する障子枠（４）で囲ってある。
ここにおける二張の枠付組子（１０）のうち、一方は障子枠（４）の外（裏）側を閉じる形で、組子枠（７）を障子枠（４）にしっかり固定的に設置されており、他方は障子枠（４）の内（表）側において、下桟（２）から連続的に竪框（３）を左右対向的に立ち昇る形で形設された凹溝（８）に嵌合させて付け外し式に設置されている。
以上により、二張の枠付組子（１０）において，それぞれが表裏両面を障子紙（６）に挟まれて閉じられた空間を有して計２つの空間が形成され、同時にこの二張の枠付組子（１０）相互間に閉じ込められた１つの空間と合わせ、合計３つの閉じられた空間が、障子紙（６）に仕切られた３層構造の空気層（９）を成して形成され、斯くして一枚の空気３層断熱式障子が構成される。
本発明の従来の各断熱障子との優位性は、従来の各断熱障子の中間部分に設けてある素材よりも、さらに断熱性能が高くて且つ軽い空気層（９）を中間層部分に設け、加えて、空気層（９）の各両側の組子枠（７）と障子枠（４）の気密性を高める構造としたことにより、近年の異常な気候変化にも対応でき、障子においてもさらに断熱性向上が可能になる。さらに、中間層部分にも空気層（９）を設けたことにより、障子戸全体の重量もおさえることが可能となり、特に高齢者にとっても、断熱障子なのに障子戸の開閉のしやすさも妨げない空気３層断熱式障子である。
本発明は、以上のような構成であり、以下、これを実際に使用する仕方・形態を説明する。
通常の障子と同じく、同一の鴨居と敷居に複数の本発明を相互に引違い式に設置して使用される。枠付組子（１０）面に覆い張られた合計４枚の障子紙（６）によって区切り閉じられて形成された３層の空気層（９）によって、外気と室内との熱伝導・交流が遮断される分だけ大幅に断熱効果を生じ、冬暖かく夏涼しい室内温度をより効果的に保持せしめる。また、障子枠（４）の外（裏）側に固定された枠付組子（１０）と内（表）側に付け外し式に設置される枠付組子（１０）との間、及び各々の枠付組子（１０）内に形成された３層空間は、断熱効果と共に、既存断熱障子に比して障子戸全体の重量を大いに軽減した。それによって、高齢者にとっても断熱障子なのに開閉がとても楽になった。
障子紙（６）が劣化し、張替え時には、障子枠（４）の竪框（３）の縦凹溝（８）に嵌めこんである内（表）側の付け外し式枠付組子（１０）を外し置き、その奥に固定設置してある枠付組子（１０）をまず先に張り替える。しかる後に、予め外し置いていた枠付組子（１０）の方を張り替え、終わったら再び障子枠（４）竪框（３）の縦凹溝（８）に嵌め込めばよい。
なお、本発明にかかる空気３層断熱式の構成原理は、組子の形状やその列・段数、或いは各障子戸の種類の如何に拘わらず応用されるものであり、それぞれの形態の違いによって目的効果に特段の違いを生むものではない。
【符号の説明】
【０００９】  （１）上桟、  （２）下桟、  （３）竪框、  （４）障子枠、  （５）組子、  （６）  障子紙、  （７）組子枠、  （８）凹溝、  （９）  空気層、  （１０）枠付組子
【要約】
【課題】従来構造の断熱障子よりも、より軽量で開閉しやすく、障子自体の断熱性を向上させた空気３層断熱式障子を提供する。
【解決手段】従来の障子戸の障子枠の内側に、組子枠を設け、組子枠を含む組子域の表裏両側面共に障子紙を張った枠付組子を二張用意し、相互に少しの間隔をおいて並列した状態において、この二張の枠付組子を一緒に組子枠の上下左右を連続して周回する障子枠で囲い、二張のうち外側の組子枠は、ほぞ組み技法にて障子枠に固定的に設置し、他方の組子枠は障子枠の内側において、下桟から連続的に竪框を左右対向的に立ち昇る形で形設された凹溝に嵌合させ、付け外し式に設置され、二張の枠付組子の各々に障子紙に挟まれた空間ができ、同時に枠付組子相互間に閉じ込められた空間と合わせ、合計３つの空気層を有することを特徴とする空気３層断熱式障子。
【選択図】図３【図１】
0005941201.tif 000002
【図２】
0005941201.tif 000003
【図３】
0005941201.tif 000004
【図４】
0005941201.tif 000005
【図５】
0005941201.tif 000006